(57)【要約】【課題】より簡便に不意に結合が解除されることを防止可能な結合金具を提供する。【解決手段】結合金具１が、係合突起２２及び係合突起２２と連続する摺動部２３を有する差し金具２と、爪３１を有する受け金具３と、差し金具２が遊貫されると共に押し輪部４０を有する摺動筒４と、摺動筒４の摺動を規制する摺動規制手段５と、を備えるものとし、爪３１を、差し金具２が受け金具３に差込まれた際に、係合突起２２と係合可能に設け、摺動規制手段５を、掛止部５０と、掛止部５０と掛合可能に設けられた掛合部５１と、を有するものであると共に摺動筒４を回動させることで、掛止部５０と掛合部５１との掛合を解除可能なものとし、押し輪部４０を、摺動筒４を摺動させることで、摺動部２３に沿って摺動可能に設け、押し輪部４０の摺動によって、爪３１と係合突起２２との係合を解除可能なものとする。【選択図】図１
0003216796.tif 000002
【実用新案登録請求の範囲】
【請求項１】
係合突起及び該係合突起と連続する摺動部を有する差し金具と、
爪を有する受け金具と、
該差し金具が遊貫されると共に押し輪部を有する摺動筒と、
該摺動筒の摺動を規制する摺動規制手段と、を備え、
該爪は、該差し金具が該受け金具に差込まれた際に、該係合突起と係合可能に設けられ、
該摺動規制手段は、掛止部と、該掛止部と掛合可能に設けられた掛合部と、を有するものであると共に該摺動筒を回動させることで、該掛止部と該掛合部との掛合を解除可能になっており、
該押し輪部は、該摺動筒を摺動させることで、該摺動部に沿って摺動可能に設けられており、
該押し輪部の摺動によって、該爪と該係合突起との係合を解除可能になっていることを特徴とする結合金具。
【請求項２】
前記掛止部は、掛止穴であり、
前記掛合部は、掛合突起であり、
該掛止穴及び該掛合突起の一方が前記差し金具に設けられ、
該掛止穴及び該掛合突起の他方が摺動筒に設けられていることを特徴とする請求項１に記載の結合金具。
【請求項３】
前記掛止穴は、略Ｌ字状の穴であることを特徴とする請求項２に記載の結合金具。
【請求項４】
前記差し金具は、前記係合突起及び前記摺動部の代わりに前記爪を有し、
前記受け金具は、該爪の代わりに該係合突起及び該摺動部を有しており、
前記摺動筒は、該差し金具の代わりに該受け金具が遊貫されているものであることを特徴とする請求項１に記載の結合金具。
【請求項５】
請求項１乃至４の何れかに記載の結合金具に用いられることを特徴とする差し金具。
【請求項６】
請求項１乃至４の何れかに記載の結合金具に用いられることを特徴とする摺動筒。
【考案の詳細な説明】
【技術分野】
【０００１】
本考案は、結合金具並びにそれに用いられる差し金具及び摺動筒に関し、より詳細には、差込式の結合金具並びにそれに用いられる差し金具及び摺動筒に関する。
【背景技術】
【０００２】
従来、消防ホース等の結合するために用いられる差込式の結合金具がある（例えば、特許文献１及び２を参照）。この様な結合金具は、差し金具と受け金具の２つのパーツよりなっており、受け金具に爪発条により内径方向に付勢された複数の爪が設けられていると共に差し金具に爪と係合可能に設けられた凹条が形成されており、差し金具が受け金具に差込まれた際に、爪と凹条とが係合することにより結合されるものである。
【０００３】
又、この様な結合金具には、結合を解除するための押し輪が設けられている。押し輪は、軸方向に摺動可能となっていると共に指掛可能に設けられた鍔部（フランジ）を有しており、鍔部に指を掛け、押し輪を摺動させて、爪を介して爪発条を外径方向へと押し上げることにより、爪と凹条とが係合が解除され、結合金具の結合が解除される様になっている。
【０００４】
差込式の結合金具は、例えば、消防用のホースの連結に用いられている。押し輪は、特にその摺動が規制される様にできているものではなかったため、ホースが不慮に動揺し、押し輪が何かに引っ掛ってしまい軸方向へと摺動してしまうと爪と凹条とが係合が解除され、差し金具と受け金具とが不意に離脱してしまう可能性があるという問題があった。
【０００５】
そこで、この不意の離脱を防止した差込式の結合金具が開発されている（特許文献３を参照）。特許文献３に記載された結合金具においては、ロック部材を別個に設け、押し輪の摺動をロック部材でロックすることにより、不意に差し金具と受け金具との結合が解除されることを防止している。
【先行技術文献】
【特許文献】
【０００６】
【特許文献１】特開２０１３−７９６５９号公報
【特許文献２】特開２０１３−９２１７２号公報
【特許文献３】特開２００４−１１８６０号公報
【考案の概要】
【考案が解決しようとする課題】
【０００７】
特許文献３に記載の結合金具においては、差し金具と受け金具とを結合した後に、更にロック部材を結合金具に掛けるという作業が必要であり、作業が煩雑となるという問題があった。特に、迅速性が求められる火災現場においては、全ての結合金具にロック部材を掛けることは、現実的ではなく、ロック部材が掛けられていても一部の結合金具に留まっているという実情がある。
【０００８】
そこで、本考案は、この様な火災現場における実情を考慮し、より簡便に不意に結合が解除されることを防止可能な結合金具を提供することを目的とする。
【課題を解決するための手段】
【０００９】
本考案は、係合突起及び該係合突起と連続する摺動部を有する差し金具と、爪を有する受け金具と、該差し金具が遊貫されると共に押し輪部を有する摺動筒と、該摺動筒の摺動を規制する摺動規制手段と、を備え、該爪は、該差し金具が該受け金具に差込まれた際に、該係合突起と係合可能に設けられ、該摺動規制手段は、掛止部と、該掛止部と掛合可能に設けられた掛合部と、を有するものであると共に該摺動筒を回動させることで、該掛止部と該掛合部との掛合を解除可能になっており、該押し輪部は、該摺動筒を摺動させることで、該摺動部に沿って摺動可能に設けられており、該押し輪部の摺動によって、該爪と該係合突起との係合を解除可能になっていることを特徴とする結合金具である。又、本考案は、前記結合金具に用いられることを特徴とする差し金具である。又、本考案は、前記結合金具に用いられることを特徴する摺動筒である。
【００１０】
尚、本考案は、前記掛止部を、掛止穴とし、前記掛合部は、掛合突起とし、該掛止穴及び該掛合突起の一方を前記差し金具に設け、該掛止穴及び該掛合突起の他方を前記摺動筒に設けることが可能である。又、本考案は、前記掛止穴を、略Ｌ字状の穴とすることが可能である。又、本考案は、前記差し金具を、前記係合突起及び前記摺動部の代わりに前記爪を有するものとし、前記受け金具を、該爪の代わりに該係合突起及び該摺動部を有するものとし、前記摺動筒を、該差し金具の代わりに該受け金具が遊貫されているものとすることが可能である。
【考案の効果】
【００１１】
本考案は、押し輪部を有する摺動筒の摺動を規制する摺動規制手段を設け、該規制手段の掛止部と掛合部とに掛合を、摺動筒を回動させることで解除できるものとしたので、より簡便に不意に差し金具と受け金具との結合が解除されることを防止することが可能である。
【図面の簡単な説明】
【００１２】
【図１】本考案の実施形態の片側断面図であり、（ａ）は、差し金具と受け金具とが係合させた状態を示す図であり、（ｂ）は、差し金具と受け金具との係合が解除された状態を示す図である。
【図２】本考案の実施形態を示す差し金具及び摺動筒の平面図であり、（ａ）は、摺動筒の摺動が規制された状態を示す図であり、（ｂ）は、摺動筒の摺動の規制が解除された状態を示す図である。
【図３】本考案の実施形態の変形例を示す差し金具及び摺動筒の縮小平面図であり、（ａ）は、滑止部としてボスを設けた変形例であり、（ｂ）は、滑止部としてローレットを設けた変形例であり、（ｃ）は滑止部としてコムバンドを設けた変形例である。
【考案を実施するための形態】
【００１３】
本考案の実施形態を図１及び図２に基づき説明する。結合金具１は、例えば、消防ホース（図示せず）の結合に用いられ、差し金具２、受け金具３、摺動筒４及び摺動規制手段５を備えている。差し金具２は、結合したい消防ホースの一方に接続され、受け金具３は、該消防ホースの他方に接続される。
【００１４】
差し金具２は、その内方に消火水等の流路Ｆが形成された略筒状、例えば、略円筒状をなしており、その先端１ａ側に受け金具３の孔部３０に差込可能に設けられた差込部２０が設けられていると共にその基端１ｂ側にホースの継手部（図示せず）が差込可能に設けられたホース継手部２１が設けられている。
【００１５】
差込部２０は、その外面の先端１ａ側に、係合突起２２が設けられていると共に係合突起２２と連続する摺動部２３を有している。ホース継手部２１の外周面には、摺動部２３の基端１ｂ側と連続する先端１ａ側に後述する摺動規制手段５の一部である掛合突起５１が設けられていると共にその基端１ｂ側に把持部２４が設けられている。尚、ホース継手部２１は、消防用ホースの継手部が挿着されるタイプであるが、例えば、螺着等の他のタイプを適宜採用することが可能である。
【００１６】
把持部２４は、摺動筒４の回動や摺動を行う際に、把持される部分であり、少なくとも、消火活動等の際に、防火手袋を着装した状態で保持し、確実に操作の行える幅に形成される。本実施形態においては、把持部２４は、その外面の全部もしくは一部がローレット加工されていると共に濡れた防火手袋で握った際においても保持し易くなる様に、対向する位置に形成された１対の切欠部２５を更に有している。
【００１７】
受け金具３は、その内方に流路Ｆの一部を構成する孔部３０が設けられた略筒状、例えば、略円筒状をなしており、孔部３０の基端１ｂ側に周方向に離間して配設された爪３１が設けられている。又、受け金具３は、その先端１ａ側にホース継手３２が設けられている。ホース継手３２は、ホース継手２１と同様に必要に応じて様々なものが選択可能である。
【００１８】
爪３１は、爪発条３３によって内径方向に付勢がさせており、差し金具２が受け金具３に差込まれた際に、係合突起２２によって一旦外径方向に引っ込む様になっており、係合突起２２及び後述する押し輪部４０によって形成された凹条６と爪３１が対向する位置まで差し金具２が受け金具３に差込まれると、再度、爪発条３３によって内径方向へと飛出し、係合突起２２と係合する様になっている。
【００１９】
本実施形態において、爪３１及び爪発条３３は、孔部３０の内面に形成された凹部３４内に収められる様に受け金具３に取付けられている。このため、爪３１は、基端１ｂ側の面がテーパー面３１ａとなっていることが望ましい。又、凹部３４は、120°間隔で周方向に離間して三箇所に設けられており、それに伴って、爪３１も三箇所に設けられているが、爪３１の数、形状等は必要に応じて適宜選択可能である。
【００２０】
摺動筒４は、その内方に差し金具２が遊貫、即ち、遊びを持って貫通可能に設けられた略筒状、例えば、略円筒状をなしており、それによって、差し金具２の外周面に沿って摺動可能となっている。又、摺動筒４は、その先端１ａ側に押し輪部４０を有していると共に、基端１ｂ側に本体部４１を有している。本体部４１には、後述する摺動規制手段５の一部である掛止穴５０が設けられている。
【００２１】
押し輪部４０は、受け金具３の爪３１と差し金具２の係合突起２２との係合を解除し、差し金具２を受け金具３から離脱させるために設けられている。押し輪部４０は、摺動筒４を、差し金具２の外周面に沿って摺動させることにより、摺動部２３に沿って摺動可能に設けられている。
【００２２】
それによって、押し輪部４０は、摺動筒４が基端１ｂ側に位置した際に、差し金具２の係合突起２２と共に凹条６を形成すると共に、摺動筒４を摺動させ、摺動筒４が先端１ａ側に位置した際に、凹条６に収められた受け金具３の爪３１を外径方向へ押し上げ、受け金具３の爪３１と差し金具２の係合突起２２との係合を解除する様になっている。
【００２３】
摺動規制手段５は、掛止部及び該掛止部と掛合可能に設けられた掛合部を有しており、該掛止部と該掛合部とを掛合させることで、摺動筒４の軸方向Ａ１への摺動を規制するために設けられており、摺動が規制された状態の摺動筒４を回動させることによって、該掛合が解除され、摺動筒４の摺動の規制が解除可能になっている。
【００２４】
本実施形態において、摺動規制手段５は、掛止部の一例として、掛止穴５０を有すると共に掛合部の一例として、掛止穴５０と掛合可能に設けられた掛合突起５１と、を有している。掛止穴５０及び掛合突起５１は、それらを一組として、二箇所、より具体的には、一方の組の反対側に他方の組が位置する様に設けられている。尚、掛止穴５０及び掛合突起５１の組数や設ける位置等については、必要に応じて、適宜変更可能である。
【００２５】
掛合突起５１は、掛止穴５０に遊貫された状態で保持されている。本実施形態においては、掛合突起５１は、差し金具２のホース継手部２１の外周面より立設されたピンとして設けられているが、その形状等については、掛止穴５０と掛合可能となっているものであれば、必要に応じて、適宜変更可能である。
【００２６】
掛止穴５０は、規制穴部５０ａと規制穴部５０ａと連続する摺動穴部５０ｂとを有している。本実施形態においては、摺動穴部５０ｂの先端１ａ側に規制穴部５０ａが周方向に延在する様に連続した略Ｌ字状に設けられた穴として摺動筒４の本体部４１に設けられている。尚、掛止穴５０の形状等については、掛合突起５１と掛合可能となっているものであれば、必要に応じて、適宜変更可能である。
【００２７】
規制穴部５０ａは、掛合突起５１が、規制穴部５０ａに位置している状態において、掛合突起５１と掛合し、摺動筒４の軸方向Ａ１への摺動を規制するものである。摺動穴部５０ｂは、掛合突起５１が摺動穴部５０ｂに位置した状態においては、摺動筒４を差し金具２に沿って摺動可能とするためのものである。
【００２８】
即ち、押し輪部４０は、掛合突起５１が摺動穴部５０ｂに位置している状態においては、摺動筒４を差し金具２に沿って摺動させることで、容易に摺動部２３に沿って摺動させることが可能になっている一方、掛合突起５１が規制穴部５０ａに位置している状態においては、摺動部２３に沿って摺動できない様になっていることとなる。
【００２９】
消防用ホースを結合するために、差し金具２を受け金具３に差込む際には、予め、摺動筒４を基端１ｂ側に位置させておき、掛合突起５１が、規制穴部５０ａに位置する様に摺動筒４を回動させておき、摺動筒４の摺動を規制した状態で差し金具２の差込部２０を受け金具３の孔部３０へと挿入する。そうすると、受け金具３の爪３１は、凹条６に収まる形で、差し金具２の係合突起２２と係合し、消防用ホースの結合は、完了する。
【００３０】
消防用ホースの結合を解除する際には、摺動筒４を回動させ、掛合突起５１を規制穴部５０ａからが摺動穴部５０ｂに移動させることで、掛合突起５１を摺動穴部５０ｂに位置させ、摺動筒４の摺動の規制を解除すると共に摺動筒４を軸方向Ａ１へと差し金具２に沿って摺動させると共に押し輪部４０を摺動部２３に沿って摺動させる。そうすると、摺動筒４の押し輪部４０は、テーパー面３１ａに沿って、爪３１の内方に徐々に入り込んでいき、爪３１を外径方向へと押し上げる。そして、押し輪部４０が、係合突起２２と当接又は近接する位置まで、押し輪部４０を摺動させると、爪３１と係合突起２２との係合が解除され、差し金具２を受け金具３から抜くことが可能となる。
【００３１】
従って、結合金具１において、押し輪部４０は、掛合突起５１が、規制穴部５０ａに位置する限り、先端１ａ側への摺動が規制されていることとなる。この規制の解除は、摺動筒４を回動させる必要があり、回動という動作は、人為的に行われない限り起こり難い動作であり、そのため、結合金具１は、ホースが不慮に動揺した際であっても不意に結合が解除されることが防止されていることとなる。
【００３２】
又、本実施形態においては、摺動筒４は、掛止穴５０が設けられている分、本体部４１が軸方向Ａ１にある程度の長さが確保されており、それによって、摺動筒４を摺動させる際に、本体部４１を把持することが可能であるので、従来必要であった鍔部が不要となっており、ホースが不慮に動揺した際に何かに引っ掛る可能性ある部分を極力排除することが可能となっており、この点からもホースが不慮に動揺した際であっても不意に結合が解除されることが防止されていることとなる。
【００３３】
そして、押し輪部４０の摺動をロックするために追加的な作業が不要となっており、火災現場等の迅速性の求められる現場においても、不意に結合が解除されることが防止することが可能である。
【００３４】
本発明を、上記実施形態に基づき説明したが、本発明は、上記実施形態に限定されるものではなく、発明の要旨を変更しない範囲で適宜変更可能である。
【００３５】
例えば、（１）図３で示した変形例（尚、滑止部４２以外の構成は、第１実施形態と同様である）の様に、摺動筒４の基端１ｂ側に滑止部４２を設けてもよい。滑止部４２としては、複数のボス４２Ａ（図３（ａ）を参照）、ローレット４２Ｂ（図３（ｂ）を参照）及びゴムバンド４２Ｃ（図３（ｃ）を参照）等を採用することが可能である。
【００３６】
（２）上記実施形態においては、摺動規制手段５の掛止穴５０を摺動筒４側に、掛止突起５１を差し金具２側に設けたが、それとは逆に、掛止穴５０を差し金具２側に、掛止突起５１を摺動筒４側に設けることも可能である。
【００３７】
（３）上記実施形態においては、掛止穴５０をＬ字状に設けたが、掛止穴５０の形状等は適宜変更可能であり、例えば、摺動穴部５０ｂを規制穴部５０ａよりも更に先端１ａ側に延在させてもよく、又、規制穴部５０ａを周方向の逆側にも延在させ、掛止穴５０をＴ字状や十文字状とし、摺動筒４を何れの方向に回動させてもその摺動の規制を解除できるものとしてもよい。
【００３８】
（４）上記実施形態においては、摺動規制手段５に、摺動穴部５０ｂを設けたが、掛合突起５１を発条等によって、その長さを径方向に伸縮可能なものとし、摺動筒４を回動した際に、摺動筒４によって、掛合突起５１が引っ込む様にする等し、規制穴部５０ａのみを設けることも可能である。
【００３９】
（５）上記実施形態においては、摺動規制手段５の掛止部を掛止穴５０として設けたが、掛止部は必ずしも穴状である必要はなく、掛合突起５１と掛合可能な掛止突起（図示せず）として設け、摺動筒４を回動させた際に、掛合突起５１と該掛止突起との軸線をずらすことで、摺動筒４を摺動可能にしてもよい。
【００４０】
（６）上記実施形態においては、差し金具２に係合突起２２を設け、受け金具３側に爪３１を設けたが、差し金具２に爪３１を設け、受け金具３に係合突起２２を設ける様にしてもよい。この場合、摺動筒４は、受け金具３が遊貫される。
【符号の説明】
【００４１】
１      結合金具            １ａ    先端                １ｂ    基端
２      差し金具            ２０    差込部              ２１    ホース継手部
２２    係合突起            ２３    摺動部              ２４    把持部
２５    切欠部              ３      受け金具            ３０    孔部
３１    爪                  ３１ａ  テーパー面          ３２    ホース継手
３３    爪発条              ３４    凹部                ４      摺動筒
４０    押し輪部            ４１    本体部              ４２    滑止部
４２Ａ  ボス                ４２Ｂ  ローレット          ４２Ｃ  ゴムバンド
５      摺動規制手段        ５０    掛止穴              ５０ａ  規制穴部
５０ｂ  摺動穴部            ５１    掛合突起            ６      凹条
Ａ１    軸方向              Ｆ      流路
【図１】
0003216796.tif 000003
【図２】
0003216796.tif 000004
【図３】
0003216796.tif 000005